(57)【要約】      （修正有）【課題】被加熱物の温度調節をより簡単に行う温度調節器を提供する。【解決手段】ヒータの温度を調節する温度調節器は、ヒータの設定温度を受け付ける設定温度受付手段と、ヒータの設定温度を表示する設定温度表示手段と、ヒータの温度を検出するヒータ温度検出手段と、ヒータの温度を表示するヒータ温度表示手段と、ヒータの設定温度及びヒータの温度に基づいて、ヒータの温度制御を行う温度制御手段と、ヒータによる被加熱物の温度を検出する被加熱物温度検出手段と、被加熱物の温度を表示する被加熱物温度表示手段とを備える。【選択図】図１
0003164344.tif 000002
【実用新案登録請求の範囲】
【請求項１】
ヒータと接続され、当該ヒータの温度を調節する温度調節器であって、
前記ヒータの設定温度を受け付ける設定温度受付手段と、
前記ヒータの設定温度を表示する設定温度表示手段と、
前記ヒータの温度を検出するヒータ温度検出手段と、
前記ヒータの温度を表示するヒータ温度表示手段と、
前記ヒータの設定温度及び前記ヒータの温度に基づいて、前記ヒータの温度制御を行う温度制御手段と、
前記ヒータによる被加熱物の温度を検出する被加熱物温度検出手段と、
前記被加熱物の温度を表示する被加熱物温度表示手段と、を備える、
ことを特徴とする温度調節器。
【請求項２】
請求項２に記載の温度調節器であって、
前記被加熱物の温度を計測するための温度センサと接続され、
前記被加熱物温度検出手段は、前記温度センサにより前記被加熱物の温度を検出する、
ことを特徴とする温度調節器。
【請求項３】
請求項１又は２に記載の温度調節器であって、
前記ヒータの加熱のＯＮタイマ及びＯＦＦタイマの少なくとも一方に関する設定を受け付けるタイマ受付手段を備え、
前記温度制御手段は、
ＯＮタイマが設定されてから、設定された所定時間の経過後に前記ヒータの加熱を開始し、ＯＦＦタイマが設定されてから、設定された所定時間の経過後に前記ヒータの加熱を停止する、
ことを特徴とする温度調節器。
【請求項４】
ヒータと接続され、当該ヒータの温度を調節する温度調節器であって、
前記ヒータの設定温度を表示するディスプレイと、
前記ヒータの温度を表示するディスプレイと、
前記ヒータによる被加熱物の温度を検出する被加熱物温度検出手段と、
前記被加熱物の温度を表示するディスプレイと、を備える、
ことを特徴とする温度調節器。
【考案の詳細な説明】
【技術分野】
【０００１】
本考案は、温度調節器に関し、特に、ヒータの温度調節器に関する。
【背景技術】
【０００２】
床、壁、配管などの設備の加熱や保温、試料、材料などの加熱や保温に使用されるヒータがある。このヒータの一例としては、床に張り付けたり、材料の入った容器を包んだりすることができる、面状に形成されたシリコンラバーヒータがある。
【０００３】
ヒータは、例えば、制御線で温度調節器と接続される。温度調節器は、例えば、ユーザにより設定されたヒータの設定温度と、制御線を介して検出したヒータ温度とに基づいて、ヒータ温度が設定温度となるようにヒータの加熱のオン／オフを切り替える。
【考案の概要】
【考案が解決しようとする課題】
【０００４】
上記の従来の温度調節器は、ヒータの加熱制御を行うため、ユーザが設定した設定温度を表示するディスプレイと、ヒータ温度を表示するディスプレイとを備える。ユーザは、これらのディスプレイを見て、ヒータが目的の温度に保たれるように設定温度を調節することができる。
【０００５】
ところで、ユーザは、ヒータが加熱する被加熱物の温度を知りたい場合がある。例えば、ユーザは、被加熱物の温度を所定温度に保ちたい場合に、被加熱物の温度を知りたい。被加熱物の温度を知ることができれば、被加熱物の温度が所定温度に保たれるように温度調節器のヒータの設定温度を適切に調整することできるからである。
【０００６】
しかしながら、上記の従来の温度調節器は、被加熱物の温度を検出できないため、ユーザは被加熱物の温度を知ることができない。温度計などを使用すれば、ユーザは被加熱物の温度を測ることができるが、ユーザのいる位置と被加熱物の位置とが離れている場合には、被加熱物の温度を測る作業は非常に煩わしい。
【０００７】
そこで、本考案は、被加熱物の温度調節をより簡単に行うことのできる温度調節器を提供することを目的とする。
【課題を解決するための手段】
【０００８】
上記の課題を解決するための本考案の一態様は、
ヒータと接続され、当該ヒータの温度を調節する温度調節器であって、
前記ヒータの設定温度を受け付ける設定温度受付手段と、
前記ヒータの設定温度を表示する設定温度表示手段と、
前記ヒータの温度を検出するヒータ温度検出手段と、
前記ヒータの温度を表示するヒータ温度表示手段と、
前記ヒータの設定温度及び前記ヒータの温度に基づいて、前記ヒータの温度制御を行う温度制御手段と、
前記ヒータによる被加熱物の温度を検出する被加熱物温度検出手段と、
前記被加熱物の温度を表示する被加熱物温度表示手段と、を備える、
ことを特徴とする。
【０００９】
ここで、上記の温度調節器であって、
前記被加熱物の温度を計測するための温度センサと接続され、
前記被加熱物温度検出手段は、前記温度センサにより前記被加熱物の温度を検出する、
ことを特徴としていてもよい。
【００１０】
また、上記のいずれかの温度調節器であって、
前記ヒータの加熱のＯＮタイマ及びＯＦＦタイマの少なくとも一方に関する設定を受け付けるタイマ受付手段を備え、
前記温度制御手段は、
ＯＮタイマが設定されてから、設定された所定時間の経過後に前記ヒータの加熱を開始し、ＯＦＦタイマが設定されてから、設定された所定時間の経過後に前記ヒータの加熱を停止する、
ことを特徴としていてもよい。
【００１１】
上記の課題を解決するための本考案の他の態様は、
ヒータと接続され、当該ヒータの温度を調節する温度調節器であって、
前記ヒータの設定温度を表示するディスプレイと、
前記ヒータの温度を表示するディスプレイと、
前記ヒータによる被加熱物の温度を検出する被加熱物温度検出手段と、
前記被加熱物の温度を表示するディスプレイと、を備える、
ことを特徴とする。
【考案の効果】
【００１２】
本考案によれば、被加熱物の温度調節をより簡単に行うことができる。
【図面の簡単な説明】
【００１３】
【図１】本考案の一実施形態に係る温度調節器の外観の一例を示す図である。
【図２】本考案の一実施形態に係る温度調節器の概略構成の一例を示すブロック図である。
【図３】本考案の一実施形態に係る温度調節器と従来の温度調節器の使用方法の一例を説明する図である。
【考案を実施するための形態】
【００１４】
以下、本発明の一実施形態について、図面を参照して説明する。
【００１５】
図１は、本考案の一実施形態に係る温度調節器の外観の一例を示す図である。
【００１６】
温度調節器１は、ディスプレイ（ヒータ温度ディスプレイ２、設定温度ディスプレイ３、モニタ温度ディスプレイ４、タイマディスプレイ５）と、キー（変更キー６、タイマキー７、ＡＴキー８、設定キー９）と、ランプ（ヒータランプ１０、警告ランプ１１、ＡＴランプ１２、ＯＮタイマランプ１３、ＯＦＦタイマランプ１４）と、電源スイッチ１５とを備える。
【００１７】
また、温度調節器１は、着脱可能な端子カバー１６を備える。図２を参照して後述するように、温度調節器１は、端子カバー１６を外した状態で見ることのできる各種の入出力端子を備える。端子カバー１６は、モニタセンサ線を外部から挿入するためのモニタセンサ線孔１７と、ヒータ制御線を外部から挿入するためのヒータ制御線孔１８と、電源線を外部から挿入するための電源線孔１９とを備える。
【００１８】
なお、本実施形態において、モニタセンサ線とは、図３（Ａ）に示すように、温度センサを一端に備え、該温度センサの出力信号を出力する端子を他端に備えるケーブルである。ヒータ制御線とは、ヒータの表面又は内部温度を検出する温度センサとヒータに接続する電源端子とを一端に備え、該温度センサの出力信号を出力する端子とヒータに電源を出力する端子とを他端に備えるケーブルである。電源線は、商用電源などから温度調節器１に電源を供給する電源ケーブルである。もちろん、ケーブルや端子の態様は上記に限られない。
【００１９】
ヒータ温度ディスプレイ２は、ヒータ制御線を介して検出されたヒータの温度が表示されるディプレイである。設定温度ディスプレイ３は、各種キーのユーザの操作により設定されたヒータの設定温度が表示されるディスプレイである。モニタ温度ディスプレイ４は、モニタセンサ線を介して検出された温度（被加熱物の温度）が表示されるディスプレイである。タイマディスプレイ５は、ヒータの加熱を開始するタイマ（ＯＮタイマ）の時間の値や、ヒータの加熱を停止するタイマ（ＯＦＦタイマ）の時間が表示されるディスプレイである。
【００２０】
変更キー６は、ヒータの設定温度、タイマの時間などの各種パラメータの値の変更を行うためのキーである。タイマキー７は、ＯＮタイマおよびＯＦＦタイマそれぞれのＯＮ／ＯＦＦを切り替えるためのキーである。ＡＴキー８は、オートチューニング機能のＯＮ／ＯＦＦを切り替えるためのキーである。設定キー９は、各種パラメータの設定を開始、決定などするためのキーである。
【００２１】
なお、オートチューニング機能とは、温度制御を行うために用いられるＰＩＤ定数を温度波形から算出する処理を、ユーザに指示されたタイミングで実行する機能をいう。オートチューニング機能は、ＡＴキー８の操作によりオートチューニング機能がＯＮに設定された場合に開始される。
【００２２】
ヒータランプ１０は、ヒータが加熱中であることを点灯により示すランプである。警告ランプ１１は、温度調節器１やヒータの異常を点灯により示すランプである。ＡＴランプ１２は、オートチューニング機能がＯＮであることを点灯により示すランプである。ＯＮタイマランプ１３は、ＯＮタイマ機能がＯＮであることを点灯により示すランプである。ＯＦＦタイマランプ１４は、ＯＦＦタイマ機能がＯＮであることを点灯により示すランプである。
【００２３】
電源スイッチ１５は、温度調節器１の電源のＯＮ／ＯＦＦを切り替えるためスイッチである。
【００２４】
なお、上記の温度調節器１の外観は、本願考案の特徴を説明するにあたって主要構成を説明したのであって、上記の構成に限られない。また、一般的な温度調節器が備える構成を排除するものではない。例えば、各ディスプレイ、キー、及びランプの配置、大きさ等は上記に限られない。また、例えば、キーの数、種類等は上記に限られない。
【００２５】
図２は、本考案の一実施形態に係る温度調節器の概略構成の一例を示すブロック図である。
【００２６】
温度調節器１は、制御部１００と、ディスプレイ１１０と、ランプ１２０と、キー１３０と、インタフェース部１４０と、電源部１５０とを備える。
【００２７】
なお、ディスプレイ１１０は、図１で説明したヒータ温度ディスプレイ２、設定温度ディスプレイ３、モニタ温度ディスプレイ４、及びタイマディスプレイ５を含んでいる。また、ランプ１２０は、図１で説明したヒータランプ１０、警告ランプ１１、ＡＴランプ１２、ＯＮタイマランプ１３、及びＯＦＦタイマランプ１４を含んでいる。また、キー１３０は、図１で説明した変更キー６、タイマキー７、ＡＴキー８、及び設定キー９を含んでいる。
【００２８】
上述の各種装置（制御部１００、ディスプレイ１１０、ランプ１２０、キー１３０、インタフェース部１４０、電源部１５０）は、例えば、同じプリント配線基板上に実装される。もちろん、適宜複数の基板に分けて実装されていてもよい。
【００２９】
制御部１００は、温度調節器１を統合的に制御するユニットである。制御部１００は、例えば、ＣＰＵ、ＲＡＭ、ＲＯＭなどを備えるマイクロコンピュータである。制御部１００の機能については後述する。
【００３０】
インタフェース部１４０は、温度センサ、ヒータ、電源を制御するユニットである。インタフェース部１４０は、例えば、信号出力回路、信号検出回路、電源回路などを備え、接続された機器を制御する。以下では、説明を分かり易くするため、インタフェース部１４０を主体として説明する。
【００３１】
インタフェース部１４０は、モニタセンサ線の信号出力端子を接続するモニタ温度入力端子１４１を備える。インタフェース部１４０は、モニタ温度入力端子１４１から入力された信号を検出し、制御部１００に送る。
【００３２】
また、インタフェース部１４０は、ヒータ制御線の信号出力端子を接続するヒータ温度入力端子１４２と、ヒータ制御線の電源端子を接続する電源出力端子１４３とを備える。インタフェース部１４０は、ヒータ温度入力端子１４２から入力された信号を検出し、制御部１００に送る。また、インタフェース部１４０は、制御部１００の指示に従って、電源出力端子１４３から出力する電源のオン／オフを切り替える。
【００３３】
また、インタフェース部１４０は、電源入力端子１４４を備える。電源入力端子１４４は、電源部１５０と接続されている。
【００３４】
電源部１５０は、温度調節器１の各ユニットへ電源を供給するユニットである。電源部１５０は、例えば、いわゆる電源回路であり、インタフェース部１４０を介してＡＣ１００Ｖなどの商用電源から直流電圧を得て、各ユニットに供給する。電源部１５０は、電源スイッチ１５により、ＯＮ／ＯＦＦが切り替えられる。
【００３５】
次に、制御部１００の機能について、特徴的な部分を中心に説明する。
【００３６】
制御部１００は、ヒータ制御部１０１と、操作受付部１０２と、表示制御部１０３の機能部を有する。これらの機能部は、例えば、ＣＰＵがＲＯＭからＲＡＭに読み出した所定のプログラムを実行することにより実現される。
【００３７】
ヒータ制御部１０１は、ヒータを制御する機能部である。
【００３８】
例えば、ヒータ制御部１０１は、操作受付部１０２を介してヒータの設定温度を受け付けた場合、当該設定温度を記録する。そして、当該設定温度を設定温度ディスプレイ３に表示するように表示制御部１０３に指示する。
【００３９】
また、ヒータ制御部１０１は、インタフェース部１４０を介してヒータ温度を検出し、当該ヒータ温度をヒータ温度ディスプレイ２に表示するように表示制御部１０３に指示する。
【００４０】
また、ヒータ制御部１０１は、設定温度とヒータ温度とに基づいて、ヒータ温度が設定温度に保たれるように、ヒータへの電源出力のＯＮ／ＯＦＦをインタフェース部１４０に指示する。なお、ヒータ制御部１０１は、例えば、ヒータの設定温度及びその閾値やＰＩＤ制御の各種パラメータ等を記憶し、検出したヒータ温度と設定された閾値とを比較演算して、ヒータへの電源出力のＯＮ／ＯＦＦをインタフェース部１４０に指示する。
【００４１】
また、ヒータ制御部１０１は、ヒータへの電源出力がＯＮの場合、ヒータランプ１０を点灯するように表示制御部１０３に指示する。また、ヒータ制御部１０１は、ヒータ温度の異常などを検出した場合、警告ランプ１１を点灯するように表示制御部１０３に指示する。また、ヒータ制御部１０１は、操作受付部１０２を介してＡＴキー８のＯＮ操作を受け付けた場合、ＡＴランプ１２を点灯するように表示制御部１０３に指示する。
【００４２】
上記の制御に加え、ヒータ制御部１０１は、インタフェース部１４０を介して被加熱物のモニタ温度を検出し、当該モニタ温度をモニタ温度ディスプレイ４に表示するように表示制御部１０３に指示する。
【００４３】
また、ヒータ制御部１０１は、操作受付部１０２を介してＯＮタイマおよびＯＦＦタイマの設定時間の少なくとも一方を受け付けて記録する。そして、操作受付部１０２を介してＯＮタイマがＯＮに設定された場合、ヒータ制御部１０１は、ＯＮにされた時からの設定時間の経過を監視し、当該設定時間を経過した場合、ヒータへの電源出力のＯＮをインタフェース部１４０に指示する。一方、操作受付部１０２を介してＯＦＦタイマがＯＮに設定された場合、ヒータ制御部１０１は、ＯＮにされた時から記録された設定時間の経過を監視し、設定時間を経過した場合、ヒータへの電源出力のＯＦＦをインタフェース部１４０に指示する。
【００４４】
操作受付部１０２は、キー１３０による入力を制御する機能部である。
【００４５】
例えば、操作受付部１０２は、キー１３０から出力される信号に基づいて操作を検出し、その内容をヒータ制御部１０１に通知する。
【００４６】
表示制御部１０３は、ディスプレイ１１０及びランプ１２０による出力を制御する機能部である。
【００４７】
例えば、表示制御部１０３は、ヒータ制御部１０１からの指示された設定温度に対応する信号を設定温度ディスプレイ３出力する。また、表示制御部１０３は、ヒータ制御部１０１から指示されたヒータ温度に対応する信号をヒータ温度ディスプレイ２に出力する。また、表示制御部１０３は、ヒータ制御部１０１から指示されたモニタ温度に対応する信号をモニタ温度ディスプレイ４に出力する。また、表示制御部１０３は、ヒータ制御部１０１から指示されたランプを点灯したり消灯したりする。
【００４８】
以上の各構成要素は、温度調節器１の構成を理解容易にするために、主な処理内容に応じて分類したものである。構成要素の分類の仕方や名称によって、本願発明が制限されることはない。温度調節器１の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【００４９】
図３は、本考案の一実施形態に係る温度調節器と従来の温度調節器の使用方法の一例を説明する図である。本図の例では、容器に被加熱物が格納されており、容器の側面が面状のヒータで覆われている。
【００５０】
図３（Ａ）に示すように、上述した本考案の一実施形態に係る温度調節器１は、ヒータ制御線でヒータと接続されるとともに、モニタセンサ線で温度センサと接続される。温度センサは、容器内の被加熱物に直接触れている。そして、温度調節器１は、検出したヒータ温度（摂氏４０度）をヒータ温度ディスプレイ２に表示するとともに、ヒータの設定温度（摂氏４０度）を設定温度ディスプレイ３に表示している。さらに、温度調節器１は、温度センサにより検出した被加熱物の温度（摂氏３５度）をモニタ温度ディスプレイ４に表示している。
【００５１】
一方で、図３（Ｂ）に示すように、従来の温度調節器１’は、モニタセンサ線を接続することができない。温度調節器１’は、検出したヒータ温度（摂氏４０度）をヒータ温度ディスプレイ２に表示するとともに、ヒータの設定温度（摂氏４０度）を設定温度ディスプレイ３に表示している。
【００５２】
このように、本考案の一実施形態に係る温度調節器１では、被加熱物の温度が検出され、表示される。そのため、ユーザは、被加熱物の温度を確認しながらヒータの設定温度の調整、タイマの設定などの操作を行うことができる。ユーザの位置と被加熱物の位置とが離れていても、温度調節器１を使用すれば、ユーザは移動せずに被加熱物の温度調節を簡単に行うことができる。
【００５３】
以上、本考案の一実施形態について説明した。本考案によれば、被加熱物の温度調節をより簡単に行うことができる。
【００５４】
すなわち、本実施形態では、温度調節器は、被加熱物の温度を検出し、表示する。このような構成により、ユーザは、被加熱物の温度を確認した上でヒータの設定温度を調整できるので、被加熱物の温度調節をより簡単に行うことができる。また、ユーザが被加熱物の温度を直接測る必要がなくなるので、ユーザの作業負担が減る。
【００５５】
また、本実施形態では、温度調節器は、ＯＮタイマ及びＯＦＦタイマ機能を有する。このような構成により、被加熱物の温度調節の方法の選択の幅の選択の幅が広がるので、ユーザは、被加熱物の温度調節をより行い易くなる。
【００５６】
上記の本発明の実施形態は、本発明の要旨と範囲を例示することを意図し、限定するものではない。多くの代替物、修正および変形例が当業者にとって明らかである。
【００５７】
例えば、上述した温度調節器１から、ＯＮタイマ及びＯＦＦタイマの少なくとも一方の機能を省いてもよい。
【符号の説明】
【００５８】
１：温度調節器、２：ヒータ温度ディスプレイ、３：設定温度ディスプレイ、４：モニタ温度ディスプレイ、５：タイマディスプレイ、６：変更キー、７：タイマキー、８：ＡＴキー、９：設定キー、１０：ヒータランプ、１１：警告ランプ、１２：ＡＴランプ、１３：ＯＮタイマランプ、１４：ＯＦＦタイマランプ、１５：電源スイッチ、１６：端子カバー、１７：モニタセンサ線孔、１８：ヒータ制御線孔、１９：電源線孔、１００：制御部、１０１：ヒータ制御部、１０２：操作受付部、１０３：表示制御部、１１０：ディスプレイ、１２０：ランプ、１３０：キー、１４０：インタフェース部、１４１：モニタ温度入力端子、１４２：ヒータ温度入力端子、１４３：電源出力端子、１４４：電源入力端子、１５０：電源部
１’：温度調節器
【図１】
0003164344.tif 000003
【図２】
0003164344.tif 000004
【図３】
0003164344.tif 000005
【手続補正書】
【提出日】平成22年9月21日(2010.9.21)
【手続補正１】
【補正対象書類名】実用新案登録請求の範囲
【補正対象項目名】全文
【補正方法】変更
【補正の内容】
【実用新案登録請求の範囲】
【請求項１】
ヒータと接続され、当該ヒータの温度を調節する温度調節器であって、
前記ヒータの設定温度を受け付ける設定温度受付手段と、
前記ヒータの設定温度を表示する設定温度表示手段と、
前記ヒータの温度を検出するヒータ温度検出手段と、
前記ヒータの温度を表示するヒータ温度表示手段と、
前記ヒータの設定温度及び前記ヒータの温度に基づいて、前記ヒータの温度制御を行う温度制御手段と、
前記ヒータによる被加熱物の温度を検出する被加熱物温度検出手段と、
前記被加熱物の温度を表示する被加熱物温度表示手段と、を備える、
ことを特徴とする温度調節器。
【請求項２】
請求項１に記載の温度調節器であって、
前記被加熱物の温度を計測するための温度センサと接続され、
前記被加熱物温度検出手段は、前記温度センサにより前記被加熱物の温度を検出する、
ことを特徴とする温度調節器。
【請求項３】
請求項１又は２に記載の温度調節器であって、
前記ヒータの加熱のＯＮタイマ及びＯＦＦタイマの少なくとも一方に関する設定を受け付けるタイマ受付手段を備え、
前記温度制御手段は、
ＯＮタイマが設定されてから、設定された所定時間の経過後に前記ヒータの加熱を開始し、ＯＦＦタイマが設定されてから、設定された所定時間の経過後に前記ヒータの加熱を停止する、
ことを特徴とする温度調節器。
【請求項４】
ヒータと接続され、当該ヒータの温度を調節する温度調節器であって、
前記ヒータの設定温度を表示するディスプレイと、
前記ヒータの温度を表示するディスプレイと、
前記ヒータによる被加熱物の温度を検出する被加熱物温度検出手段と、
前記被加熱物の温度を表示するディスプレイと、を備える、
ことを特徴とする温度調節器。